【手続補正書】
【提出日】平成26年6月4日(2014.6.4)
【手続補正１】
【補正対象書類名】明細書
【補正対象項目名】００２９
【補正方法】変更
【補正の内容】
【００２９】
即ち、画素１０Ｇにおける有機積層膜１２Ｇは、発光層として、赤色発光層１４Ｒ，緑色発光層１４Ｇおよび青色発光層１４Ｂを有し、これらの発光層以外の有機層としては、正孔輸送層１３および緑用電子ブロック層１５Ｇを有している。画素１０Ｂにおける有機積層膜１２Ｂは、発光層として、赤色発光層１４Ｒおよび青色発光層１４Ｂを有し、これらの発光層以外の有機層としては、正孔輸送層１３および青用電子ブロック層１５Ｂを有している。画素１０Ｒにおける有機積層膜１２Ｒは、発光層として、赤色発光層１４Ｒおよび青色発光層１４Ｂを有し、これらの発光層以外の有機層としては、正孔輸送層１３を有している。
【手続補正２】
【補正対象書類名】明細書
【補正対象項目名】００３５
【補正方法】変更
【補正の内容】
【００３５】
赤色発光層１４Ｒは、例えば、赤色発光材料，正孔輸送性材料および電子輸送性材料のうち少なくとも１種を含んでいる。赤色発光材料は、蛍光性のものでも燐光性のものでもよい。この赤色発光層１４Ｒは、例えば４，４−ビス（２，２−ジフェニルビニル）ビフェニル（ＤＰＶＢｉ）に２，６−ビス［（４'−メトキシジフェニルアミノ）スチリル］
−１，５−ジシアノナフタレン（ＢＳＮ）を混合したものから構成されている。
【手続補正３】
【補正対象書類名】明細書
【補正対象項目名】００３６
【補正方法】変更
【補正の内容】
【００３６】
緑色発光層１４Ｇは、例えば、緑色発光材料，正孔輸送性材料および電子輸送性材料のうち少なくとも１種を含んでいる。緑色発光材料は、蛍光性のものでも燐光性のものでもよい。この緑色発光層１４Ｇは、例えば、ＡＤＮやＤＰＶＢｉにクマリン６を混合したものから構成されている。
【手続補正４】
【補正対象書類名】明細書
【補正対象項目名】００３７
【補正方法】変更
【補正の内容】
【００３７】
青色発光層１４Ｂは、例えば、青色発光材料，正孔輸送性材料および電子輸送性材料のうち少なくとも１種を含んでいる。青色発光材料は、蛍光性のものでも燐光性のものでもよい。この青色発光層１４Ｂは、例えば、ＤＰＶＢｉに４，４'−ビス［２−｛４−（Ｎ，Ｎ−ジフェニルアミノ）フェニル｝ビニル］ビフェニル（ＤＰＡＶＢｉ）を混合したものから構成されている。
【手続補正５】
【補正対象書類名】明細書
【補正対象項目名】００５５
【補正方法】変更
【補正の内容】
【００５５】
（比較例）
図８は、本実施の形態の比較例に係る表示装置１００の概略構成および製造プロセスを説明するための断面図である。尚、簡便化のため、保護層，接着層および封止基板の図示は省略している。この表示装置１００では、駆動基板１０１上に画素１００Ｒ，１００Ｇ，１００Ｂが配置され、各画素では、下部電極１０２と上部電極１０５との間に、発光層を含む有機積層膜が形成されている。画素間の選択的な領域には、各色発光層を塗り分けるためのリブ１０１０が配設されている。有機積層膜としては、例えば、赤色光を発する画素１００Ｒでは、下部電極１０２の側から順に、正孔輸送層１０３，赤色発光層１０４Ｒおよび青色発光層１０４Ｂが積層されている。緑色光を発する画素１００Ｇでは、下部電極１０２の側から順に、正孔輸送層１０３，緑色発光層１０４Ｇおよび青色発光層１０４Ｂが積層されている。青色光を発する画素１００Ｂでは、下部電極１０２の側から順に、正孔輸送層１０３および青色発光層１０４Ｂが積層されている。
【手続補正６】
【補正対象書類名】明細書
【補正対象項目名】００５６
【補正方法】変更
【補正の内容】
【００５６】
即ち、画素１００Ｒでは、発光層として赤色発光層１０４Ｒおよび青色発光層１０４Ｂを含み、有機発光層以外の有機層としては、正孔輸送層１０３を含んでいる。画素１００Ｇでは、発光層として緑色発光層１０４Ｇおよび青色発光層１０４Ｂを含み、有機発光層以外の有機層としては、正孔輸送層１０３を含んでいる。画素１００Ｂでは、発光層として青色発光層１０４Ｂを含み、その有機発光層以外の有機層としては、正孔輸送層１０３を含んでいる。つまり、比較例においては、各画素において、発光層以外の有機層の層構造に相違はなく、いずれも各画素に共通の正孔輸送層１０３のみを有する構造となっている。
【手続補正７】
【補正対象書類名】明細書
【補正対象項目名】００５８
【補正方法】変更
【補正の内容】
【００５８】
このような表示装置１００では、製造プロセスにおいて、上記のようにリブ１０１０を利用した斜方蒸着により各色発光層の塗り分けを行うが、この際、例えば次のような手順で成膜を行う。即ち、下部電極１０２上に正孔輸送層１０３を形成した後、まず、リブ１０１０を利用した斜方蒸着により、赤色発光層１０４Ｒを形成する。具体的には、蒸着源に対して画素１００Ｒが曝され、画素１００Ｇ，１００Ｂについてはリブ１０１０の陰となるような角度方向Ｄ１０１から蒸着を行うことにより、画素１００Ｒに、選択的に赤色発光層１０４Ｒを形成する。続いて、リブ１０１０を利用した斜方蒸着により、緑色発光層１０４Ｇを形成する。具体的には、蒸着源に対して画素１００Ｇが曝され、画素１００Ｂ，１００Ｒについてはリブ１０１０の陰となるような角度方向Ｄ１０２から蒸着を行うことにより、画素１００Ｇに、選択的に緑色発光層１０４Ｇを形成する。この後、駆動基板１０１に略垂直な方向から、画素１００Ｒ，１００Ｇ，１００Ｂの全面に渡って、青色発光層１０４Ｂを成膜する。最後に、この青色発光層１０４Ｂ上に上部電極１０５を形成することにより、上記のような積層構造を有する表示装置１００を完成する。
【手続補正８】
【補正対象書類名】明細書
【補正対象項目名】００６８
【補正方法】変更
【補正の内容】
【００６８】
また、赤色発光層１４Ｒを、３色の発光層の中で最も下層に設け（３色の発光層の中で最初に成膜し）、画素１０Ｇ，１０Ｂでは、その赤色発光層１４Ｒ上に緑用電子ブロック層１５Ｇおよび青用電子ブロック層１５Ｂを積層することにより、画素１０Ｇ，１０Ｂにおける赤色発光層１４Ｒへの電子の移動は防止される。
【手続補正９】
【補正対象書類名】明細書
【補正対象項目名】００７８
【補正方法】変更
【補正の内容】
【００７８】
即ち、画素１０Ｇ１における有機積層膜１２Ｇ１は、発光層として、赤色発光層１４Ｒ，緑色発光層１４Ｇ１および青色発光層１４Ｂの３色全ての発光層を有し、これらの発光層以外の有機層としては、正孔輸送層１３および緑用電子ブロック層１５Ｇを有している。画素１０Ｂ１における有機積層膜１２Ｂ１は、発光層として３色全ての発光層を有し、これらの発光層以外の有機層としては、正孔輸送層１３および青用電子ブロック層１５Ｂを有している。画素１０Ｒ１における有機積層膜１２Ｒ１は、発光層として３色全ての発光層を有し、これらの発光層以外の有機層としては、正孔輸送層１３を有している。
【手続補正１０】
【補正対象書類名】明細書
【補正対象項目名】００９２
【補正方法】変更
【補正の内容】
【００９２】
即ち、画素２０Ｇにおける有機積層膜２２Ｇは、発光層として、赤色発光層１４Ｒ，緑色発光層１４Ｇおよび青色発光層１４Ｂを有し、これらの発光層以外の有機層としては、正孔輸送層１３，緑用膜厚調整層２１Ｇおよび緑用電子ブロック層１５Ｇを有している。画素２０Ｂにおける有機積層膜２２Ｂは、発光層として、赤色発光層１４Ｒおよび青色発光層１４Ｂを有し、これらの発光層以外の有機層としては、正孔輸送層１３、青用膜厚調整層２１Ｂおよび青用電子ブロック層１５Ｂを有している。画素２０Ｒにおける有機積層膜２２Ｒは、発光層として、赤色発光層１４Ｒおよび青色発光層１４Ｂを有し、これらの発光層以外の有機層としては、正孔輸送層１３を有している。
【手続補正１１】
【補正対象書類名】明細書
【補正対象項目名】００９３
【補正方法】変更
【補正の内容】
【００９３】
表示装置２全体としては、駆動基板１０上に、画素２０Ｒ，２０Ｇ，２０Ｂの全面に渡って正孔輸送層１３が設けられ、この正孔輸送層１３上において、画素２０Ｇでは緑用膜厚調整層２１Ｇ、画素２０Ｂでは青用膜厚調整層２１Ｂがそれぞれ設けられている。これらの緑用膜厚調整層２１Ｇおよび青用膜厚調整層２１Ｂを覆うように、画素２０Ｒ，２０Ｇ，２０Ｂの全面に渡って赤色発光層１４Ｒが形成されている。この赤色発光層１４Ｒ上では、上記第１の実施の形態と同様、画素２０Ｇにおいて緑用電子ブロック層１５Ｇおよび緑色発光層１４Ｇがこの順に設けられ、画素２０Ｂにおいて青用電子ブロック層１５Ｂが設けられている。そして、これらを覆うように、画素２０Ｒ，２０Ｇ，２０Ｂの全面に渡って、青色発光層１４Ｂが設けられている。
【手続補正１２】
【補正対象書類名】明細書
【補正対象項目名】０１０５
【補正方法】変更
【補正の内容】
【０１０５】
［表示装置２の作用・効果］
本実施の形態の表示装置２では、画素２０Ｒ，２０Ｇ，２０Ｂのそれぞれに、各色の映像信号に応じた駆動電流が印加されると、下部電極１１および上部電極１６を通じて、有機積層膜２２Ｒ，２２Ｇ，２２Ｂに電子および正孔が注入される。これらの電子および正孔は、画素２０Ｒ，２０Ｇ，２０Ｂにおける赤色発光層１４Ｒ，緑色発光層１４Ｇ，青色発光層１４Ｂにおいてそれぞれ再結合され、各色の発光光を生じる。このようにして、表示装置２では、Ｒ，Ｇ，Ｂのフルカラーの映像表示がなされる。
【手続補正１３】
【補正対象書類名】明細書
【補正対象項目名】０１０７
【補正方法】変更
【補正の内容】
【０１０７】
このような層構造により、画素２０Ｒでは、上記第１の実施の形態における画素１０Ｒと同様、赤色発光層１４Ｒに再結合位置Ｄｒが形成され、赤色光の発光が得られる。また、画素２０Ｇでは、有機積層膜２２Ｇにおいて、赤色発光層１４Ｒ，緑色発光層１４Ｇおよび青色発光層１４Ｂが積層されるが、緑用電子ブロック層１５Ｇを有するため、上記第１の実施の形態と同様の理由から、緑色発光層１４Ｇにおいて再結合が生じる。従って、画素２０Ｇでは、緑色発光層１４Ｇによる緑色光の発光が得られる。画素２０Ｂにおいても同様で、有機積層膜２２Ｂには、赤色発光層１４Ｒおよび青色発光層１４Ｂが積層されるが、青用電子ブロック層１５Ｂを有するため、青色発光層１４Ｂにおいて再結合が生じる。従って、画素２０Ｂでは、青色発光層１４Ｂによる青色光の発光が得られる。
【手続補正１４】
【補正対象書類名】明細書
【補正対象項目名】０１１１
【補正方法】変更
【補正の内容】
【０１１１】
図２４に示したように、画素２０Ｒから赤色光、画素２０Ｇから緑色光、画素２０Ｂから青色光の各発光が得られた。また、上記のような設定とすることにより、各画素では、下部電極１１下層のＡｌミラーと上部電極１６間において光共振器構造が形成され、その共振の次数は赤０次、緑１次、青１次であった。また、緑用膜厚調整層２１Ｇおよび青用膜厚調整層２１Ｂを別途設けることにより、緑用電子ブロック層１５Ｇおよび青用電子ブロック層１５Ｂの膜厚を実施例１に比べて薄く形成することができる。このため、赤色発光層１４Ｒ上における電子ブロック材料の付着量が減少し、この結果、画素２０Ｒにおける赤色光の発光量が実施例１よりも増した。
【手続補正１５】
【補正対象書類名】明細書
【補正対象項目名】０１１７
【補正方法】変更
【補正の内容】
【０１１７】
即ち、画素２０Ｇ１における有機積層膜２２Ｇ１は、発光層として、赤色発光層１４Ｒ，緑色発光層１４Ｇ１および青色発光層１４Ｂの３色全ての発光層を有し、これらの発光層以外の有機層としては、正孔輸送層１３、緑用膜厚調整層２１Ｇおよび緑用電子ブロック層１５Ｇを有している。画素２０Ｂ１における有機積層膜２２Ｂ１は、発光層として３色全ての発光層を有し、これらの発光層以外の有機層としては、正孔輸送層１３、青用膜厚調整層２１Ｂおよび青用電子ブロック層１５Ｂを有している。画素２０Ｒ１における有機積層膜２２Ｒ１は、発光層として３色全ての発光層を有し、これらの発光層以外の有機層としては、正孔輸送層１３を有している。
【手続補正１６】
【補正対象書類名】明細書
【補正対象項目名】０１１８
【補正方法】変更
【補正の内容】
【０１１８】
表示装置２Ａ全体としては、駆動基板１０上に、画素２０Ｒ１，２０Ｇ１，２０Ｂ１の全面に渡って正孔輸送層１３が設けられ、この正孔輸送層１３上の画素２０Ｇ１に対応する選択的な領域に緑用膜厚調整層２１Ｇ、画素２０Ｂ１に対応する選択的な領域に青用膜厚調整層２１Ｂがそれぞれ設けられている。これらの緑用膜厚調整層２１Ｇおよび青用膜厚調整層２１Ｂ上には、基板全面に渡って赤色発光層１４Ｒが形成されている。赤色発光層１４Ｒ上では、画素２０Ｇ１に対応する選択的な領域に緑用電子ブロック層１５Ｇが設けられており、この緑用電子ブロック層１５Ｇ上に、基板全面に渡って緑色発光層１４Ｇ１が設けられている。この緑色発光層１４Ｇ１上の画素２０Ｂ１に対応する選択的な領域に青用電子ブロック層１５Ｂが設けられ、この青用電子ブロック層１５Ｂ上に、基板全面に渡って青色発光層１４Ｂが設けられている。
【手続補正１７】
【補正対象書類名】明細書
【補正対象項目名】０１２０
【補正方法】変更
【補正の内容】
【０１２０】
本変形例のように、有機積層膜２２Ｇ１が緑用膜厚調整層２１Ｇ、有機積層膜２２Ｂ１が青用膜厚調整層２１Ｂをそれぞれ有する場合であっても、赤色発光層１４Ｒおよび青色発光層１４Ｂだけでなく、緑色発光層１４Ｇ１についても、各画素に共通の層として成膜することができる。換言すると、緑色発光層１４Ｇ１は、上記第２の実施の形態で説明したように、リブ１１０を用いた斜方蒸着により成膜してもよいが、本変形例のように、他の発光層と同様にして垂直方向からの蒸着によって成膜することも可能である。このようにして、各画素に３色全ての発光層を成膜した場合であっても、画素２０Ｇ１が緑用電子ブロック層１５Ｇ、画素２０Ｂ１が青用電子ブロック層１５Ｂをそれぞれ有するため、上述したように、各画素では適切な層において電荷の再結合が生じ、所望の色光を取り出し易くなる。よって、上記第１，２の実施の形態と同等の効果を得ることができる。
【手続補正１８】
【補正対象書類名】明細書
【補正対象項目名】０１２６
【補正方法】変更
【補正の内容】
【０１２６】
図２９（Ａ）〜（Ｃ）は、有機積層膜３２Ｒ，３２Ｇ，３２Ｂの断面構造を表したものである。有機積層膜３２Ｒでは、図２９（Ａ）に示したように、正孔輸送層１３上に、赤用正孔輸送層３１Ｒ、赤色発光層３３Ｒおよび青色発光層３３Ｂがこの順に積層されている。有機積層膜３２Ｇは、図２９（Ｂ）に示したように、正孔輸送層１３上に、緑用正孔輸送層３１Ｇ、緑色発光層３３Ｇおよび青色発光層３３Ｂがこの順に積層されている。緑用正孔輸送層３１Ｇおよび赤用正孔輸送層３１Ｒは、例えば上述したような正孔輸送層１３と同様の材料（正孔輸送材料）により構成されている。有機積層膜３２Ｂでは、図２９（Ｃ）に示したように、正孔輸送層１３上に、青色発光層３３Ｂが積層されている。
【手続補正１９】
【補正対象書類名】明細書
【補正対象項目名】０１３６
【補正方法】変更
【補正の内容】
【０１３６】
この後、図３２（Ａ）に示したように、駆動基板１０に略垂直な方向からの真空蒸着により、画素領域（Ｒ），（Ｇ），（Ｂ）の全面に渡って、青色発光層３３Ｒを成膜する。これにより、駆動基板１０上において、青色発光層３３Ｂが、各画素領域に共通の層として形成される。尚、この結果として、各リブ１１０の上面にも、青色発光層３３Ｂが堆積される。このようにして、各画素領域（Ｒ），（Ｇ），（Ｂ）にそれぞれ、有機積層膜３２Ｒ，３２Ｇ，３２Ｂを形成する。
【手続補正２０】
【補正対象書類名】明細書
【補正対象項目名】０１４９
【補正方法】変更
【補正の内容】
【０１４９】
例えば、仮に、図３４（Ａ），（Ｂ）に示したように、画素間絶縁膜４２’が下部電極１１毎に開口Ｈ２を有する場合（全画素領域における下部電極１１のエッジが画素間絶縁膜４２’によって覆われている場合）について考える。この場合、画素領域Ｓ１への斜方蒸着の際には、図３４（Ａ）に示したように、画素間絶縁膜４２’および下部電極１１間の段差（Ｘ１）の影響によってケラレが生じる。このため、画素領域Ｓ１では、下部電極１１上において、局所的に薄膜となる部分が生じ、均一な厚みで有機材料を蒸着することができない。あるいは、画素領域Ｓ２への斜方蒸着の際には、図３４（Ｂ）に示したように、画素間絶縁膜４２’および下部電極１１間の段差（Ｘ２）の影響によってケラレが生じる。このため、画素領域Ｓ２においても、下部電極１１上に均一な厚みで有機材料を蒸着することができない。尚、上記のような画素領域Ｓ１，Ｓ２への斜方蒸着工程を連続的に行う場合にも同様の現象が生じる。このように、下部電極１１上に均一な膜厚で各色発光層等の有機材料を成膜できないと、局所的な部分に電流が集中したり、所望の発光色が得られなかったりする。
【手続補正２１】
【補正対象書類名】明細書
【補正対象項目名】０１５０
【補正方法】変更
【補正の内容】
【０１５０】
これに対し、本実施の形態では、上述のように画素間絶縁膜４２において、開口Ｈ１を画素領域Ｓ１，Ｓ２の双方に共通して設け、境界Ｂ１からリブ１１０に向かって下地層４１の厚みを段階的に変化させてなる雛壇構造ｓｔ１，ｓｔ２を有している。これにより、画素領域Ｓ１への斜方蒸着の際には、例えば図３５（Ａ）に示したように、角度方向Ｄ１に沿って有機材料を放出する蒸着源（図示せず）に対し、影となる部分が生じない。このため、画素領域Ｓ１では、下部電極１１上に、略均一な厚みで有機材料４４ａを堆積させることができる。あるいは、画素領域Ｓ２への斜方蒸着の際には、図３５（Ｂ）に示したように、角度方向Ｄ２に沿って有機材料を放出する蒸着源（図示せず）に対し、影となる部分が生じない。このため、画素領域Ｓ２においても、下部電極１１上に、略均一な厚みで有機材料４４ｂを堆積させることができる。よって、斜方蒸着時において、ケラレの発生を抑制し、略均一な厚みで有機材料の成膜を行うことができる。これにより、上記実施の形態等で説明した場合（下部電極１１および駆動基板１０の各表面が同一面を形成する場合）と同等の効果を得ることができる。
【手続補正２２】
【補正対象書類名】明細書
【補正対象項目名】０１５３
【補正方法】変更
【補正の内容】
【０１５３】
これにより、本変形例においても、画素領域Ｓ１への斜方蒸着の際には、例えば図３７（Ａ）に示したように、角度方向Ｄ１に沿って有機材料を放出する蒸着源（図示せず）に対し、影となる部分が生じない。このため、画素領域Ｓ１では、下部電極１１上に、略均一な厚みで有機材料４６ａを堆積させることができる。あるいは、画素領域Ｓ２への斜方蒸着の際には、図３７（Ｂ）に示したように、角度方向Ｄ２に沿って有機材料を放出する蒸着源（図示せず）に対し、影となる部分が生じない。このため、画素領域Ｓ２においても、下部電極１１上に、略均一な厚みで有機材料４６ｂを堆積させることができる。よって、斜方蒸着時において、ケラレの発生を抑制し、略均一な厚みで有機材料の成膜を行うことができる。加えて、本変形例では、画素領域Ｓ１，Ｓ２間にリーク防止絶縁膜４５が設けられていることにより、画素領域Ｓ１，Ｓ２間でのリーク電流の発生を抑制することができ、発光特性の劣化を防ぐことができる。
【手続補正２３】
【補正対象書類名】明細書
【補正対象項目名】０１５８
【補正方法】変更
【補正の内容】
【０１５８】
［表示装置１〜３の全体構成、画素回路構成］
次に、上記第１〜３の実施の形態に係る表示装置１〜３の全体構成および画素回路構成について説明する。図４０は、有機ＥＬディスプレイとして用いられる表示装置の周辺回路を含む全体構成を表すものである。このように、例えば駆動基板１０上には、有機ＥＬ素子を含む複数の画素ＰＸＬＣがマトリクス状に配置されてなる表示領域３０が形成され、この表示領域３０の周辺に、信号線駆動回路としての水平セレクタ（ＨＳＥＬ）３１と、走査線駆動回路としてのライトスキャナ（ＷＳＣＮ）３２と、電源線駆動回路としての電源スキャナ（ＤＳＣＮ）３３とが設けられている。
【手続補正２４】
【補正対象書類名】明細書
【補正対象項目名】０１６０
【補正方法】変更
【補正の内容】
【０１６０】
図４１は、画素ＰＸＬＣにおける具体的な回路構成例を表したものである。各画素ＰＸＬＣは、有機ＥＬ素子３Ｄを含む画素回路４０を有している。この画素回路４０は、サンプリング用トランジスタ３Ａおよび駆動用トランジスタ３Ｂと、保持容量素子３Ｃと、有機ＥＬ素子３Ｄとを有するアクティブ型の駆動回路である。
【手続補正２５】
【補正対象書類名】明細書
【補正対象項目名】０１６５
【補正方法】変更
【補正の内容】
【０１６５】
（モジュール）
上記表示装置は、例えば図４２に示したようなモジュールとして、後述の適用例１〜５などの種々の電子機器に組み込まれる。このモジュールは、例えば、基板１０の一辺に、封止用基板５０から露出した領域２１０を設け、この露出した領域２１０に、水平セレクタ３１、ライトスキャナ３２および電源スキャナ３３の配線を延長して外部接続端子（図示せず）を形成したものである。この外部接続端子には、信号の入出力のためのフレキシブルプリント配線基板（ＦＰＣ；Flexible Printed Circuit）２２０が設けられていてもよい。
【手続補正２６】
【補正対象書類名】明細書
【補正対象項目名】０１６６
【補正方法】変更
【補正の内容】
【０１６６】
（適用例１）
図４３は、テレビジョン装置の外観を表したものである。このテレビジョン装置は、例えば、フロントパネル３１０およびフィルターガラス３２０を含む映像表示画面部３００を有しており、この映像表示画面部３００が表示装置１〜３に相当する。
【手続補正２７】
【補正対象書類名】明細書
【補正対象項目名】０１６７
【補正方法】変更
【補正の内容】
【０１６７】
（適用例２）
図４４は、デジタルカメラの外観を表したものである。このデジタルカメラは、例えば、フラッシュ用の発光部４１０、表示部４２０、メニュースイッチ４３０およびシャッターボタン４４０を有しており、この表示部４２０が表示装置１〜３に相当する。
【手続補正２８】
【補正対象書類名】明細書
【補正対象項目名】０１６８
【補正方法】変更
【補正の内容】
【０１６８】
（適用例３）
図４５は、ノート型パーソナルコンピュータの外観を表したものである。このノート型パーソナルコンピュータは、例えば、本体５１０，文字等の入力操作のためのキーボード５２０および画像を表示する表示部５３０を有しており、この表示部５３０が表示装置１〜３に相当する。
【手続補正２９】
【補正対象書類名】明細書
【補正対象項目名】０１６９
【補正方法】変更
【補正の内容】
【０１６９】
（適用例４）
図４６は、ビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有している。この表示部６４０が表示装置１〜３に相当する。
【手続補正３０】
【補正対象書類名】明細書
【補正対象項目名】０１７０
【補正方法】変更
【補正の内容】
【０１７０】
（適用例５）
図４７は、携帯電話機の外観を表したものである。この携帯電話機は、例えば上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そして、これらのうちのディスプレイ７４０またはサブディスプレイ７５０が、表示装置１〜３に相当する。
【手続補正３１】
【補正対象書類名】図面
【補正対象項目名】図２
【補正方法】変更
【補正の内容】
【図２】
2012114073.tif 000001
【手続補正３２】
【補正対象書類名】図面
【補正対象項目名】図４０
【補正方法】変更
【補正の内容】
【図４０】
2012114073.tif 000002